【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
計算機システムであって、
アプリケーションを実行する第１のホスト計算機と、
第２のホスト計算機と、
前記第１のホスト計算機と前記第２のホスト計算機に接続し、前記アプリケーションに割り当てられる第１のボリュームを含む複数のボリュームを形成する複数の記憶装置を有するストレージシステムと、
前記第１のホスト計算機、前記第２のホスト計算機と前記ストレージシステムに接続し、前記第１のボリュームのバックアップを開始する第１の時間を管理するバックアップスケジュール情報と、バックアップ結果に関する情報を管理するバックアップカタログ情報とを保持する、管理計算機と、を有し
前記管理計算機は、前記バックアップスケジュール情報を参照し、前記第１の時間に前記ストレージシステムに対し第１の指示を発行し、前記第１の指示発行後に前記第２のホスト計算機に第２の指示を発行し、
前記ストレージシステムは、前記第１の指示に応じて、前記第１のホスト計算機の前記アプリケーションの処理の継続中に、前記第１の時間に前記第１のボリュームを第２のボリュームにバックアップし、
前記第２のホスト計算機は、前記第２の指示に応じて、前記第２のボリュームのデータを読み出し、前記アプリケーションがリカバリ可能な時間である第２の時間を取得し、
管理計算機は、前記第１のボリュームのバックアップの識別情報と前記第２の時間を前記バックアップカタログ情報に格納する、ことを特徴とする計算機システム。
【請求項２】
請求項１に記載の計算機システムであって、
前記管理計算機は、さらに、前記識別情報と前記第２の時間との関係を出力する出力装置を含む、ことを特徴とする計算機システム。
【請求項３】
請求項１または請求項２に記載の計算機システムであって、
前記第１のホスト計算機は、さらにアプリケーションを実行するためのオペレーティングシステムを有し、
前記第２のホスト計算機は、前記第１のホスト計算機が保持する前記アプリケーション及び前記オペレーティングシステムを有し、前記アプリケーションがリカバリ可能な時間である前記第２の時間を取得する際に前記アプリケーション及び前記オペレーティングシステムを使用する、ことを特徴とする計算機システム。
【請求項４】
請求項１乃至請求項３のいずれか１つに記載の計算機システムであって、
前記第１のホスト計算機は、アプリケーションを実行する仮想サーバを制御する仮想サーバ制御プログラムを有し、
前記第２のホスト計算機は、前記第１のホスト計算機が有する前記仮想サーバ制御プログラムを有し、前記アプリケーションがリカバリ可能な時間である前記第２の時間を取得する際に前記仮想サーバ制御プログラムを使用する、ことを特徴とする計算機システム。
【請求項５】
請求項１乃至請求項４のいずれか１つに記載の計算機システムであって、
前記管理計算機は、前記第２のホスト計算機が、前記第２の指示に応じて、前記第２のボリュームを読み出して、前記アプリケーションのリカバリができなかった場合、前記バックアップカタログ情報に含まれる前記識別子に関する情報を削除する、ことを特徴とする計算機システム。
【請求項６】
請求項５に記載の計算機システムであって、
前記管理計算機は、前記第２のホスト計算機が、前記第２の指示に応じて、前記第２のボリュームを読み出して、前記アプリケーションのリカバリができなかった場合、さらに、前記ストレージシステムに対して前記第２のボリュームの削除の指示を発行する、ことを特徴とする計算機システム。
【請求項７】
請求項１乃至請求項６のいずれか１つに記載の計算機システムであって、
前記第２のホスト計算機は、前記第２の指示に応じて、前記第２のボリュームを読み出して、前記アプリケーションのリカバリを実行する場合、リカバリしたデータを前記ストレージシステムの第３のボリュームに書き込む、ことを特徴とする計算機システム。
【請求項８】
請求項１乃至請求項７のいずれか１つに記載の計算機システムであって、
前記管理計算機は、前記第２の時間にあらかじめ設定されたＲＰＯ値を加算した第３の時間を、前記第１の時間後に前記第１のボリュームを第４のボリュームにバックアップする時間とし、前記バックアップスケジュール情報に格納する、ことを特徴とする計算機システム。
【請求項９】
請求項１乃至請求項８のいずれか１つに記載の計算機システムであって、
前記第１のホスト計算機は、さらに、データを一時的に格納するキャッシュメモリを含み、
前記管理計算機は、前記第２の時間が、前記第１の時間以前に前記第１のボリュームより他のボリュームにバックアップされたデータを用いて前記アプリケーションがリカバリ可能な時間と一致する場合、前記キャッシュメモリから前記第１のボリュームへデータを移動する時間間隔を変更する、ことを特徴とする計算機システム。
【請求項１０】
請求項１乃至請求項９のいずれか１つに記載の計算機システムであって、
前記第２のホスト計算機は、複数のホスト計算機を含み、
前記管理計算機は、前記複数のホスト計算機の使用状況を管理する情報を有し、前記複数のホスト計算機のうち、使用されていないホスト計算機に対して第２の指示を発行し、
前記使用されていないホスト計算機が、前記第２の指示に応じて、前記第２のボリュームのデータを読み出し、前記アプリケーションがリカバリ可能な時間である前記第２の時間を取得する、ことを特徴とする計算機システム。
【請求項１１】
アプリケーションを実行する第１のホスト計算機と、第２のホスト計算機と、前記アプリケーションに割り当てられる第１のボリュームを含む複数のボリュームを形成する複数の記憶装置を含むストレージシステムと、に接続される管理計算機によるバックアップ方法であって、
前記第１のボリュームのバックアップを開始する第１の時間を管理するバックアップスケジュール情報と、バックアップ結果に関する情報を管理するバックアップカタログ情報とを保持し、
前記ストレージシステムに対して、前記第１のホスト計算機の前記アプリケーションの処理の継続中に、前記第１の時間に前記ボリュームを第２のボリュームにバックアップする指示を出し、
前記第２のホスト計算機より、前記第２の計算機が前記第２のボリュームのデータを読み出し、取得された前記アプリケーションがリカバリ可能な時間である第２の時間を取得し、
前記第１のボリュームのバックアップの識別情報と前記第２の時間との関係を前記バックアップカタログ情報に格納する、ことを特徴とするバックアップ方法。
【請求項１２】
請求項１１に記載のバックアップ方法であって、
前記第２のホスト計算機が、前記第２の指示に応じて、前記第２のボリュームを読み出して、前記アプリケーションのリカバリができなかった場合、前記バックアップカタログ情報に含まれる前記識別子に関連する情報を削除する、ことを特徴とするバックアップ方法。
【請求項１３】
請求項１２に記載のバックアップ方法であって、
前記第２のホスト計算機が、前記第２の指示に応じて、前記第２のボリュームを読み出して、前記アプリケーションのリカバリができなかった場合、さらに、前記ストレージシステムに対して前記第２のボリュームの削除の指示を発行する、ことを特徴とするバックアップ方法。
【請求項１４】
請求項１１乃至請求項１３のいずれか１つに記載のバックアップ方法であって、
前記第２のホスト計算機に対して、前記第２の指示に応じて、前記第２のボリュームを読み出して、前記アプリケーションのリカバリを実行する場合、リカバリしたデータを前記ストレージシステムの第３のボリュームに書き込む指示を発行する、ことを特徴とするバックアップ方法。